(57)【特許請求の範囲】
【請求項１】
外壁と外壁とを１８０°以下の角度に接合し、この接合部を接着剤で接着してなるコーナー外壁において、前記接合された外壁の頂点には接着剤が塗布され、その接着剤を覆うように前記接合部に沿い両外壁に跨がって突出側外壁面に粘着テープが貼着されていることを特徴とするコーナー外壁。
【請求項２】
前記粘着テープは前記接合部よりも伸縮性を有し、接合部とその直近に接する部分の粘着テープの粘着側面が非粘着になされていることを特徴とする請求項１記載のコーナー外壁。
【請求項３】
前記粘着テープは、両面テープ又は片面に塗膜を形成した片面テープであることを特徴とする請求項１記載のコーナー外壁。
【請求項４】
粘着テープを装着するためのテープホルダーと、テープホルダーから繰出された粘着テープをコーナー部分に貼るためのテープ押え部と、コーナー部分に沿って案内するためのガイド部とを本体に備え、テープ押え部が、漸次角度が小さくなる凹みを中央に有する複数本の押えロールを含むことを特徴とするコーナーテープ貼り装置。
【請求項５】
前記本体が、離型紙巻取部を備えたことを特徴とする請求項４記載のコーナーテープ貼り装置。
【請求項６】
前記テープ押さえ部が、軟質材からなる押さえロールを備えたことを特徴とする請求項４または請求項５記載のコーナーテープ貼り装置。
【請求項７】
前記テープ押さえ部が、コーナー部分に折曲げて貼り付けられた粘着テープの両側縁部に集中荷重を掛ける押えロールを備えたことを特徴とする請求項４ないし請求項６いずれかに記載のコーナーテープ貼り装置。
【発明の詳細な説明】
【０００１】
【発明が属する技術分野】
本発明は、コーナー外壁およびコーナーテープ貼り装置に関する。
【０００２】
【従来の技術】
従来のコーナー外壁は、例えば、特公平７−１１９５１４号公報に記載されている。上記公報記載のコーナー外壁は、外壁と外壁とを１８０°以下の角度に接合し、この接合部を接着剤で接着し、この接合部周辺の突出外面を削り、接合部の中の接着剤を突出外面まで露出させるものである。
【０００３】
上記コーナー外壁を建物のコーナー部に取り付けることによって、外壁の膨張、収縮の力がコーナー外壁の接合部に集中的に働き、接合部にクラックが発生するという問題を解決しようとするものである。
【０００４】
【発明が解決しようとする課題】
しかしながら、上記従来のコーナー外壁において、接着剤の接着強度や塗布量が不足したり、接着剤が経時により劣化すると、外壁の膨張、収縮により接合部にクラックが発生するという問題を解消するに至らなかった。
【０００５】
本発明は、上記の問題を解決するためになされたものであって、本発明の目的は、接合部のクラックの発生を少なくすると同時に、クラックが発生しても外観と防水性を損なわないコーナー外壁を提供することである。
【０００６】
また、上記コーナー外壁を施工するのに用いられるコーナーテープ貼り装置を提供することである。
【０００７】
【課題を解決するための手段】
請求項１記載の本発明は、外壁と外壁とを１８０°以下の角度に接合し、この接合部を接着剤で接着してなるコーナー外壁において、前記接合された外壁の頂点には接着剤が塗布され、その接着剤を覆うように前記接合部に沿い両外壁に跨がって突出側外壁面に粘着テープが貼着されているものである。
【０００８】
請求項２記載の発明は、請求項１記載のコーナー外壁において、前記粘着テープは前記接合部よりも伸縮性を有し、接合部とその直近に接する部分の粘着テープの粘着側面が非粘着になされているものである。
【０００９】
上記請求項２記載の発明において、粘着テープが伸縮性を有するものとは、例えば、ポリエチレンやポリウレタン等の合成樹脂発泡シートの如き伸縮性を有する基材に粘着剤を塗布したもの、或いは、適度に架橋されたアクリル系発泡粘着剤をシート状に形成したもの等を挙げることができる。
【００１０】
また、接合部とその直近に接する部分の粘着テープの粘着側面が非粘着になされているものとしては、部分的に粘着剤を塗布するか、或いは、部分的に離型紙を取り付けたままにして非粘着にするのがよい。
【００１１】
請求項３記載の発明は、請求項１記載のコーナー外壁において、前記粘着テープは、両面テープ又は片面に塗膜を形成した片面テープである。
【００１２】
また、粘着テープの伸縮性の小さい基材としては、例えば、アルミニウムやステンレス鋼等の箔が好適に使用できる。
【００１３】
請求項４記載の発明は、粘着テープを装着するためのテープホルダーと、テープホルダーから繰出された粘着テープをコーナー部分に貼るためのテープ押え部と、コーナー部分に沿って案内するためのガイド部とを本体に備え、テープ押え部が、漸次角度が小さくなる凹みを中央に有する複数本の押えロールを含むものである。
【００１４】
請求項５記載の発明は、請求項４記載のコーナーテープ貼り装置において、前記本体が、離型紙巻取部を備えたものである。
【００１５】
請求項６記載の発明は、請求項４または請求項５記載のコーナーテープ貼り装置において、前記テープ押さえ部が、軟質材からなる押さえロールを備えたものである。
【００１６】
請求項７記載の発明は、請求項４ないし請求項６いずれかに記載のコーナーテープ貼り装置において、前記テープ押さえ部が、コーナー部分に折曲げて貼り付けられた粘着テープの両側縁部に集中荷重を掛ける押えロールを備えたものである。
【００１７】
（作用）
請求項１記載のコーナー外壁は、接合部に沿い両外壁に跨がって突出側外壁面に粘着テープが貼着されているものであるから、接合部の接合強度や接着剤の塗布量不足を補うことにより、接合部のクラックの発生を少なくできる。
【００１８】
また、この粘着テープが貼着されたコーナー外壁の外面を塗装して仕上げると、接合部にクラックが発生しても、接合部が粘着テープで覆われているので、外観および防水性が損なわれることはない。
【００１９】
請求項２記載のコーナー外壁は、粘着テープが伸縮性を有し、接合部とその直近に接する部分の粘着テープの粘着側面が非粘着になされているものであるから、コーナー外壁の接合部に集中的に働く膨張、収縮の力を緩和し、接合部のクラックの発生を少なくできる。
【００２０】
また、粘着テープが、伸縮性の小さい基材と、この基材の一側面に塗布された粘着剤とからなるものであれば、接合部の接合強度や接着剤の塗布量不足を補うことにより、接合部のクラックの発生を一層少なくできる。
【００２１】
請求項４記載のコーナーテープ貼り装置では、ガイド部により、コーナー部分に合うように注意しながら、本体を前方へ移動させる。こうして本体を移動すると、テープホルダーに装着された粘着テープが繰出され、テープ押え部の各押えロールによって粘着テープがコーナー外壁へ貼られて行くこととなる。この際、ガイド部を設けることにより、方向がずれることなく、コーナー部分に沿って本体を移動させることが可能となる。また、漸次中央の凹みの角度が小さくなって行くように設定された押えロールを設けることにより、粘着テープの曲げを徐々に大きくしコーナー外壁と粘着テープとの間から空気を外へ押出しつつ粘着テープをコーナー外壁へ沿って接着させて行くことができる。
【００２２】
請求項５記載のコーナーテープ貼り装置では、離型紙巻取部を備えることにより、粘着テープが両面テープである場合に、離型紙を巻取って行くことが可能となる。
【００２３】
請求項６のコーナーテープ貼り装置では、軟質材で作られた押えロールが弾性変形して幅方向に対して均一に粘着テープを圧着させることができるようになるので、コーナー部分と粘着テープとの間の空気を外へ押出す効果が一層高められる。
【００２４】
請求項７のコーナーテープ貼り装置では、コーナー部分に折曲げて貼り付けられた粘着テープの両側縁部に集中荷重を掛けることにより、粘着テープの両側縁部の浮きを完全に無くすことができる。
【００２５】
【発明の実施の形態】
本発明の実施の形態を図面を参照して説明する。
【００２６】
（第１実施例）
図１〜図３は、請求項１に係る本発明の一実施例であって、図１（イ）図はコーナー外壁の斜視図、（ロ）図は（イ）図のコーナー外壁の拡大横断面図、図２は製造過程のコーナー外壁の断面図、図３はコーナー外壁の試験方法を示す説明図である。
【００２７】
図１において、１はコーナー外壁であって、このコーナー外壁１は、外壁２と外壁２とを９０°の角度に接合してなる長尺体で、その接合部Ｓを接着剤３で接着すると共に、頂点を削り、頂点部にさらに接着剤４を塗布してなるものである。そして、前記接合部Ｓの長手方向に沿い両外壁２、２に跨がる突出外壁面に粘着テープ５が貼着され、その上に塗膜６が形成されている。
【００２８】
上記コーナー外壁１の製造方法を、図２を参照して説明する。
【００２９】
先ず、平板状外壁２の中央部に、表面側が直角で裏面側が斜辺となる二等辺三角形状のＶカット２１を入れ（図２（イ）図参照）、このＶカット面に接着剤３を塗布して折り曲げ、外壁２、２を９０°の角度に接合する（図２（ロ）図参照）。
【００３０】
つぎに、接合された外壁２、２の頂点（突出側角部）を削り、面取りされた頂点部２２を形成する（図２（ハ）図参照）。
【００３１】
上記頂点部２２に、円弧を形成するように接着剤４を塗布する（図２（ニ）図参照）。そして、この接着剤４が塗布された表面を覆うように粘着テープ５を貼付し（図２（ホ）図参照）、最後に粘着テープ５が貼付された外側面と、外壁２表面にスプレー塗装して塗膜６を形成する。
【００３２】
上記のコーナー外壁１を図３に示す試験装置によりクラックの促進試験を実施した。
【００３３】
上記試験装置は、図に示すように、コーナー外壁１の両端部に角パイプＰを取り付け、この角パイプＰ、Ｐ間にターンバックルＴを溶接して取り付けたものである。このターンバックルＴを回転させて引っ張り、（ロ）図に示すように、角度Ｋを１°として矯正し、コーナー外壁１の角部に引張応力が作用するようにした。
【００３４】
上記試験装置に取り付けられたコーナー外壁１を、温度６０℃、湿度９５％の試験室に２週間放置した後試験室から取り出し、コーナー外壁１を観察したところ、接着剤３、４の内部にクラックが発生したが、コーナー外壁１の表面外観には何ら異常は見られなかった。
【００３５】
本実施例のコーナー外壁１は、接合部Ｓに沿い両外壁２、２に跨がる突出外壁面に粘着テープ５が貼着されているものであるから、接合部Ｓにクラックが発生しても、接合部Ｓが粘着テープ５で覆われているので、外観および防水性が損なわれることはない。
【００３６】
なお、上記の実施例と比較のため、図２（ニ）図に示すような粘着テープ５を貼着していないコーナー外壁を、上記と同様の試験をしたところ、２週間経過時において、塗装表面に通じる上記実施例より大きなクラックが発生し、外観ならびに防水性に支障を来すものであった。
【００３７】
（第２実施例）
図４、図５は、請求項２に係る本発明の別の実施例であって、図４は粘着テープの断面図、図５はコーナー外壁の要部を拡大して示す断面図である。
【００３８】
以下の実施例において、前記実施例と同じものは同符合を付けて説明を省略する。
【００３９】
１０は、コーナー外壁であって、このコーナー外壁１０に貼着されている粘着テープ５０は、図４に示すように、発泡ポリエチレンシート製の伸縮性を有する基材５１に粘着剤５２が塗布され、両側部を除く中央部に離型紙５３が貼着され、非粘着になされている。
【００４０】
上記粘着テープ５０が、両外壁２、２に跨がる接合部の突出側外壁面に貼着され、接合部とその直近に接する部分の粘着テープ５０の粘着側面が、上記離型紙５３により非粘着になされているものである。
【００４１】
上記のコーナー外壁１０を、第１実施例と同様の条件で、図３に示すクラックの促進試験を実施したところ、接着剤３、４の内部に小さなクラックが発生したが、このコーナー外壁１０の表面外観には何ら異常は見られなかった。
【００４２】
本実施例のコーナー外壁１０は、粘着テープ５０が伸縮性を有し、接合部とその直近に接する部分の粘着テープ５０の粘着側面が離型紙５３により非粘着になされているものであるから、コーナー外壁１０の接合部に集中的に働く膨張、収縮の力を粘着テープ５０がその一部を吸収して緩和し、接合部のクラックの発生を少なくできる。
【００４３】
また、外壁２、２間の寸法変化に対して、粘着テープ５０の非粘着部分全体の伸縮で対応するので、塗膜６の寸法変化が小さく、塗膜６にクラックが発生し難い。
【００４４】
さらに、外壁２、２間でクラックが発生しても、粘着テープ５０がクラックを覆い、外観、防水性が損なわれない。
【００４５】
（第３実施例）
図６は、本発明の他の実施例であって、粘着テープの断面図である。
【００４６】
５５は、粘着テープであって、この粘着テープ５５は前記第１実施例のコーナー外壁１に使用した粘着テープ５に替えて使用するものであって、これ以外は第１実施例と同じであるので、説明を省略する。
【００４７】
上記粘着テープ５５は、図に示すように、伸縮性の小さいアルミニウム箔でなる基材５６と、この基材５６の一側面に塗布された粘着剤５７とからなり、厚さが３００μｍになされている。
【００４８】
この粘着テープ５５を、接着剤４が塗布された表面を覆うように貼付し（図２（ホ）図参照）、その後粘着テープ５５が貼付された外側面に塗装して塗膜６を形成した。なお、粘着テープ５５を貼着することにより生じる段差を隠すため、この部分の塗装を多少厚塗りする。
【００４９】
上記の粘着テープ５５が貼着されたコーナー外壁（不図示）を、前記第１実施例と同様の条件で、クラックの促進試験を実施したところ、１か月経過後においても接着剤３、４に何らのクラックの発生がなかった。また、このコーナー外壁の表面外観には、勿論何ら異常は見られなかった。
【００５０】
本実施例によると、粘着テープ５５が、伸縮性の小さい基材５６と、この基材５６の一側面に塗布された粘着剤５７とからなるものであるから、接合部の接合強度や接着剤の塗布量不足を補うことにより、接合部のクラックの発生を一層少なくできる。
【００５１】
（第４実施例）
図７〜図１０は、粘着テープ５、５０、５５をコーナー外壁に貼るためのコーナーテープ貼り装置の実施例である。
【００５２】
該コーナーテープ貼り装置は、上部および側部（図示せず）にグリップ６０を有する本体６１に、粘着テープ５、５０、５５を装着するためのリール状をしたテープホルダー６２と、粘着テープ５、５０、５５が両面テープである場合に離型紙５３を巻取るためのリール状をした離型紙巻取部６３とを備えている。このテープホルダー６２と離型紙巻取部６３とは、シーブ６４、６５およびベルト６６を用いて回転力が伝達されるように接続されている。好ましくは、離型紙巻取部６３側のシーブ６５をテープホルダー６２側のシーブ６４よりも小径にして、離型紙巻取部６３側のシーブ６５の回転速度がテープホルダー６２側のシーブ６４の回転速度よりも早くなるようにするのが良い。
【００５３】
そして、本体６１のテープホルダー６２と離型紙巻取部６３との間で、且つ、コーナー外壁に面した位置には、コーナー外壁に沿って並ぶ複数本の（図では８本となっている）押えロール６７〜７４からなるテープ押え部７５が設けられている。該テープ押え部７５を構成する複数本の押えロール６７〜７４には、中央に凹みを有するものが含まれている。そして、中央の凹みの角度は漸次小さくなっていくように設定されている。この際、最終の一つ手前の押えロール７３（仕上げ押さえロール７３）の中央の凹みの角度をコーナー外壁のコーナー部分の角度よりも小さくなるようにして、コーナー部分に折曲げて貼り付けられた粘着テープ５、５０、５５の両側縁部に集中荷重が掛かるようにする。
【００５４】
例えば、図８の場合、第二番目の押えロール６８の中央の凹みの角度は１５０゜、第四番目の押えロール７０の中央の凹みの角度は１２０゜、第六番目の押えロール７２の中央の凹みの角度はコーナー部分の角度と同じ９０゜、第七番目の押えロール７３の中央の凹みの角度は８０゜となっている。
【００５５】
また、テープ押え部７５は、軟質材で作られた押えロールと硬質材で作られた押えロールとを混在させるようにする。例えば、図のコーナーテープ貼り装置の場合、第三番目の押えロール６９と第五番目の押えロール７１とがスポンジやウレタンなどの軟質材で形成され、残りの押えロール６７、６８、７０、７２〜７４が硬質材で形成されている。
【００５６】
更に、各押えロール６７〜７４は、中央の凹み、即ち、最細部が同一径となるように形成され、且つ、最細部が同一レベルに位置するように配列されている。
【００５７】
また、テープホルダー６２とテープ押え部７５の第一番目の押えロール６７との間の部分には、テープガイド７６が設けられている。同様に、テープ押え部７５の最終の押えロール７４と離型紙巻取部６３との間の部分には、テープガイド７７が設けられている。なお、テープガイド７６、７７は、なるべく大径のものを使用する方が、位置出しのためには好ましい。
【００５８】
更に、本体６１の前部には、テープ押え部７５の各押えロール６７〜７４に対して直列に、複数本のセンター目印ロール７８、７９からなるガイド部８０が設けられている。センター目印ロール７８、７９は、図９に示すように、中央に９０゜の凹みを有するロールで構成されている。図では、センター目印ロール７８、７９は、２本設けられている。
【００５９】
加えて、本体６１の後部には、テープ切断部８１が設けられている。該テープ切断部８１は、図１０に示すように、Ｃ字断面を有するスライドガイド８２に、カッター歯８３を交換可能に取付けられた操作レバー８４が移動自在に嵌合され、スライドガイド８２と操作レバー８４との間には、カッター歯８３が引込む方向へ操作レバー８４を付勢するスプリング８５が介装されている。
【００６０】
かかる構成によれば、先ず、リール状をしたテープホルダー６２に粘着テープ５、５０、５５を装着し、粘着テープ５、５０、５５を、テープガイド７６を介してテープ押え部７５の各押えロール６７〜７４の下へ通し、更に、粘着テープ５、５０、５５から離型紙５３を剥がして、離型紙５３のみをテープガイド７７を介して離型紙巻取部６３へ巻付けさせようにする。
【００６１】
この状態で、本体６１をコーナー外壁の上へ移動し、テープ押え部７５の各押えロール６７〜７４およびガイド部８０のセンター目印ロール７８、７９の中央の凹みがコーナー外壁の頂点に合うように、本体６１をコーナー外壁の上へ置く。この際、テープガイド７６、７７を大径とすると、粘着テープ５、５０、５５が安定して支持されるようになるので、本体６１のコーナー外壁に対する位置出しが容易となる。
【００６２】
そして、センター目印ロール７８、７９の中央の凹みがコーナー外壁の頂点に合うように注意しながら、グリップ６０を持って本体６１を前方へ移動させる。このように、センター目印ロール７８、７９などのガイド部８０を設けることにより、方向がずれることなく、コーナー外壁の頂点に沿って本体６１を移動させることが可能となる。
【００６３】
このように本体６１を移動すると、テープホルダー６２から粘着テープ５、５０、５５が繰出され、テープ押え部７５の各押えロール６７〜７４によって粘着テープ５、５０、５５がコーナー外壁へ貼られて行くこととなる。
【００６４】
この際、テープ押え部７５の各押えロール６７〜７４のうち第一番目の押えロール６７が粘着テープ５、５０、５５をコーナー外壁の頂点へ接着させる。そして、中央に凹みを有する押えロール６８、７０，７２，７３が粘着テープ５、５０、５５に、後ろ側へ行くに従い徐々に大きくなる曲げを与えつつ粘着テープ５、５０、５５をコーナー外壁へ接着させて行く。
【００６５】
なお、中央に凹みのある押えロール６８、７０，７２，７３が粘着テープ５、５０、５５の曲げを徐々に大きくして行く際には、同時に、コーナー外壁と粘着テープ５、５０、５５との間から空気が外へ押出されることになる。また、テープ押え部７５に、軟質材で作られた押えロールと硬質材で作られた押えロールとを混在させることにより、軟質材で作られた押えロール６９、７１が弾性変形して幅方向に対して均一に粘着テープ５、５０、５５を圧着させることができるようになるので、コーナー外壁と粘着テープ５、５０、５５との間の空気を外へ押出す効果が一層高められる。
【００６６】
更に、最終の一つ手前の押えロール７３の中央の凹みの角度をコーナー外壁のコーナー部分の角度よりも小さくすることにより、粘着テープ５、５０、５５の両側縁部に集中荷重が掛かるようにすることができるので、粘着テープ５、５０、５５の両側縁部の浮きを完全に無くすことができる。
【００６７】
一方、テープホルダー６２と離型紙巻取部６３とは、シーブ６４、６５およびベルト６６を用いて接続されているので、粘着テープ５、５０、５５の繰出しに応じて離型紙巻取部６３も回転駆動されることとなり、粘着テープ５、５０、５５が両面テープである場合に離型紙５３は離型紙巻取部６３へ自動的に巻取られて行く。離型紙巻取部６３側のシーブ６５をテープホルダー６２側のシーブ６４よりも小径にして、離型紙巻取部６３側のシーブ６５の回転速度がテープホルダー６２側のシーブ６４の回転速度よりも早くなるようにすれば、離型紙５３をたるませずに巻取って行くことができる。
【００６８】
最後に、粘着テープ５、５０、５５をテープ切断部８１で切断する。即ち、スプリング８５の付勢力に抗して操作レバー８４を押すことにより、カッター歯８３が出て来て粘着テープ５、５０、５５を切断し、操作レバー８４を離すとスプリング８５の付勢力によってカッター歯８３が引込むようになっている。このように、テープ切断部８１を本体６１と一体に設けることにより、簡単且つきれいに粘着テープ５、５０、５５を切断することが可能となる。しかも、粘着テープ５、５０、５５を切断する際にいちいちナイフなどの切断具を探す手間がなくなり、且つ、ナイフなどの切断具を無くしたりするおそれもない。
【００６９】
このように、本実施例のコーナーテープ貼り装置を使用することにより、短時間のうちに、粘着テープ５、５０、５５をきれいにコーナー外壁へ貼ることが可能となる。例えば、手作業で粘着テープ５、５０、５５を貼る場合に数分掛っていたところが、本実施例のコーナーテープ貼り装置を用いると、十数秒できれいに仕上げることが可能となる。
【００７０】
（第５実施例）
図１１は、粘着テープ５、５０、５５をコーナー外壁に貼るためのコーナーテープ貼り装置の他の実施例である。
【００７１】
本実施例では、粘着テープ５、５０、５５が両面テープでない場合（粘着テープの片面に事前に塗膜を形成したものなどの場合）に、離型紙巻取部６３を省略したものである。このようにしても、上記第４実施例と同様の効果を得ることができる。
【００７２】
上記以外については、前記第４実施例と同様の構成を備えており、同様の作用・効果を得ることができる。
【００７３】
【発明の効果】
請求項１記載のコーナー外壁は、接合部に沿い両外壁に跨がって突出側外壁面に粘着テープが貼着されているものであるから、接合部の接合強度や接着剤の塗布量不足を補うことにより、接合部のクラックの発生を少なくできる。
【００７４】
また、この粘着テープが貼着されたコーナー外壁の外面を塗装して仕上げると、接合部にクラックが発生しても、接合部が粘着テープで覆われているので、外観および防水性が損なわれることはない。
【００７５】
請求項２記載のコーナー外壁は、粘着テープが伸縮性を有し、接合部とその直近に接する部分の粘着テープの粘着側面が非粘着になされているものであるから、コーナー外壁の接合部に集中的に働く膨張、収縮の力を緩和し、接合部のクラックの発生を少なくできる。
【００７６】
また、粘着テープが、伸縮性の小さい基材と、この基材の一側面に塗布された粘着剤とからなるものであれば、接合部の接合強度や接着剤の塗布量不足を補うことにより、接合部のクラックの発生を一層少なくできる。
【００７７】
請求項４のコーナーテープ貼り装置では、ガイド部により、コーナー部分に合うように注意しながら、本体を前方へ移動させる。こうして本体を移動すると、テープホルダーに装着された粘着テープが繰出され、テープ押え部の各押えロールによって粘着テープがコーナー外壁へ貼られて行くこととなる。この際、ガイド部を設けることにより、方向がずれることなく、コーナー部分に沿って本体を移動させることが可能となる。また、漸次中央の凹みの角度が小さくなって行くように設定された押えロールを設けることにより、粘着テープの曲げを徐々に大きくしコーナー外壁と粘着テープとの間から空気を外へ押出しつつ粘着テープをコーナー外壁へ沿って接着させて行くことができる。
【００７８】
請求項５のコーナーテープ貼り装置では、離型紙巻取部を備えることにより、粘着テープが両面テープである場合に、離型紙を巻取って行くことが可能となる。
【００７９】
請求項６のコーナーテープ貼り装置では、軟質材で作られた押えロールが弾性変形して幅方向に対して均一に粘着テープを圧着させることができるようになるので、コーナー部分と粘着テープとの間の空気を外へ押出す効果が一層高められる。
【００８０】
請求項７のコーナーテープ貼り装置では、コーナー部分に折曲げて貼り付けられた粘着テープの両側縁部に集中荷重を掛けることにより、粘着テープの両側縁部の浮きを完全に無くすことができる。
【図面の簡単な説明】
【図１】本発明の一実施例であって、（イ）図はコーナー外壁の斜視図、（ロ）図は（イ）図のコーナー外壁の拡大横断面図である。
【図２】（イ）〜（ホ）は製造過程のコーナー外壁の断面図である。
【図３】（イ）及び（ロ）はコーナー外壁の試験方法を示す説明図である。
【図４】本発明の別の実施例であって、粘着テープの断面図である。
【図５】コーナー外壁の要部を拡大して示す断面図である。
【図６】本発明の他の実施例であって、粘着テープの断面図である。
【図７】本発明のコーナーテープ貼り装置の一実施例の概略側面図である。
【図８】図７のテープ押え部の押えロールの配置図である。
【図９】図７のガイド部のセンター目印ロールの配置図である。
【図１０】図７のテープ切断部の概略斜視図である。
【図１１】本発明のコーナーテープ貼り装置の他の実施例の概略側面図である。
【符号の説明】
１                  コーナー外壁
２                  外壁
３、４              接着剤
５、５０、５５      粘着テープ
６                  塗膜
５１、５６          基材
５２、５７          粘着剤
５３                離型紙
６１                本体
６２                テープホルダー
６３                離型紙巻取部
６８〜７４          押えロール
７５                テープ押え部
８０                ガイド部
８１                テープ切断部
Ｓ                  接合部
【図１】
0003732948.tif 000002
【図２】
0003732948.tif 000003
【図３】
0003732948.tif 000004
【図４】
0003732948.tif 000005
【図５】
0003732948.tif 000006
【図６】
0003732948.tif 000007
【図７】
0003732948.tif 000008
【図８】
0003732948.tif 000009
【図９】
0003732948.tif 000010
【図１０】
0003732948.tif 000011
【図１１】
0003732948.tif 000012